(57)【要約】【課題】キーシート内部に侵入した埃等がキートップシートの透明部から見えることにより外観性を損なうことを防止することのできる携帯電子機器を提供する。【解決手段】筐体２０と筐体２０内部に収容されたキーシート５０との間に弾性部材２４を設け、弾性部材２４によりスライドシート５４および腕部５４ａのうちの少なくとも一方の一部をスライドシート５４の厚み方向に沿って押圧する。すなわち、弾性部材２４がスライドシート５４を押圧する場合には、スライドシート５４に設けられた腕部５４ａがキーシート５０の外部に露出するための開口５６ａから侵入した埃等の移動を規制する。また、弾性部材２４が腕部５４ａを押圧する場合には、開口５６ａからの埃等の侵入を防止する。これにより、埃等がスライドシート５４の第１の表記部５８や第２の表記部５９に達し、キートップシート５１に設けられた透明部５１ａを介して外から視認され、外観性を損なうのを防止することができる。【選択図】図３
2010103767.tif 000002
【特許請求の範囲】
【請求項１】
筐体と、
前記筐体に収容されるキーシートと、
前記筐体と前記キーシートとの間に設けられた弾性部材と、を有し、
前記キーシートは、
所定位置に透明部が設けられたキートップシートと、
前記キートップシートに対して裏側の面に押圧用の突起を有するプッシャーシートと、
前記キートップシートと前記プッシャーシートとの間に設けられ、前記キートップシートおよび前記プッシャーシートに対して第１の位置から第２の位置までの範囲で往復移動可能なスライドシートと、
前記スライドシートに接続され、前記キートップシートと前記プッシャーシートとの間に設けられた開口から露出する腕部と、を備え、
前記スライドシートにおける前記キートップシート側の面には、
前記第１の位置において前記透明部から第１の方向に判読可能に表記が設けられた第１の表記部と、
前記第２の位置において前記透明部から前記第１の方向とは異なる第２の方向に判読可能に表記が設けられた第２の表記部とが設けられ、
前記弾性部材は、前記スライドシートまたは前記腕部の一部を前記スライドシートの厚み方向に押圧する携帯電子機器。
【請求項２】
前記弾性部材は、前記スライドシートにおける前記開口側の端部を押圧するとともに、前記スライドシートの往復移動方向に対して直交する方向に設けられている請求項１に記載の携帯電子機器。
【請求項３】
前記弾性部材は、前記キートップシートを介して前記スライドシートを押圧する請求項２に記載の携帯電子機器。
【請求項４】
前記キートップシートと前記プッシャーシートとの間の離間寸法から前記スライドシートの厚み寸法を引いた隙間寸法に対して、
前記弾性部材の無負荷状態における押圧方向寸法のほうが大きい請求項２または請求項３に記載の携帯電子機器。
【請求項５】
前記弾性部材の無負荷状態における押圧方向寸法は、
前記キートップシートと前記プッシャーシートとの間の離間寸法から前記スライドシートの厚み寸法を引いた隙間寸法の２倍を超えない大きさであることを特徴とする請求項４に記載の携帯電子機器。
【請求項６】
前記スライドシートまたは前記腕部において前記弾性部材に押圧される領域に凹凸が形成されている請求項１から請求項４のいずれかに記載の携帯電子機器。
【請求項７】
前記スライドシートまたは前記腕部において少なくとも前記弾性部材に押圧される領域は他の領域よりも摩擦係数が小さい材料で形成されている請求項１から請求項４のいずれかに記載の携帯電子機器。
【請求項８】
前記スライドシートまたは前記腕部において前記弾性部材に押圧される領域にシリコン系の被覆層が形成されている請求項７に記載の携帯電子機器。
【請求項９】
前記スライドシートまたは前記腕部において前記弾性部材に押圧される領域にフッ素系の被覆層が形成されている請求項７に記載の携帯電子機器。
【発明の詳細な説明】
【技術分野】
【０００１】
本発明は、表記部の向きに合わせて最適な向きで操作できる携帯電子機器に関するものである。
【背景技術】
【０００２】
２つの筐体が重なり合うように連結した携帯電子機器である折り畳み式の携帯端末では、ユーザーは、折り畳み式携帯端末を連結部の第１の回動軸を中心として開いた状態（縦開き状態）にして、テンキーなどの操作部を備えた第１の筐体を手で持ち、表示部を備えた第２の筐体を見るという使い方が一般的である。
【０００３】
ところで、近年、テレビジョン放送を受信して表示する携帯端末が実用化され、普及されてきたが、横長のテレビジョン放送画面を見るには、表示部を横長にする横開き状態の方が見やすい。そこで、第２の筐体を、第１の回動軸に直交する第２の回動軸まわりに回動させて開く構造が提案されている（例えば特許文献１参照）。
【０００４】
従来から提案されている折り畳み式の携帯端末の一例を図１０と図１１に示す。
図１０の携帯端末１００は、操作部１０１を有する第１の筐体１０２と、表示部１０３を有する第２の筐体１０４と、連結部１０５の３つの筐体で構成されている。そして、第１の筐体１０２に設けた第１回動軸１０２ａに連結部１０５を矢印Ａ方向に回動自在に支持している。連結部１０５を矢印Ａ方向に回動することにより、第１の筐体１０２に対して第２の筐体１０４を第１の方向に開いて、縦開き状態とすることができる。
【０００５】
また、図１１に示すように、連結部１０５には第２回動軸１０４ａが設けられており、第２の筐体１０４を矢印Ｂ方向に回動自在に支持している。従って、第２の筐体１０４を矢印Ｂ方向へ回動させることにより、第１の筐体１０２に対して第２の筐体１０４を第２の方向に開いて、横開き状態とすることができる。
【特許文献１】特開２００６−２２８９９号公報
【発明の開示】
【発明が解決しようとする課題】
【０００６】
ところで、前述した縦開き状態および横開き状態が可能な携帯端末１００では、操作部１０１の表示が、縦開き状態に対応した表示あるいは横開き状態の一方にのみ対応した表示では、他方の開き状態における操作性に問題がある。
【０００７】
そこで、開き状態に対応した表示に切り替えることが考えられる。例えば、操作部１０１を構成するキーシートを、表面を覆うキートップシートと、キートップシートを押圧することによりスイッチ基板を押圧するプッシャーシートから構成し、キートップシートとプッシャーシートとの間に、開き状態に対応した表示を有する表示シートをスライド可能に設けることが考えられる。
【０００８】
すなわち、表示シートには、縦開き状態に対応した縦表示と、横開き状態に対応した横表示とを表示しておき、縦開き状態あるいは横開き状態に応じて表示シートをスライドさせて、キートップシートに設けられている透明部から、開き状態に対応した表示が視認されるようにする。このとき、キートップシートとプッシャーシートとの間に所定の空間を設けて表示シートがスムーズにスライドできるようにするとともに、表示シートに設けられている腕部を空間の外に引き出し、腕部を移動させることにより表示シートをスライドさせるようにする。
【０００９】
このため、キートップシートとプッシャーシートとが、表示シートの腕部を引き出す場所を除いて所定の空間を含む袋状に形成されることになり、空間内部に埃等が侵入すると、キートップシートの透明部から埃等が見えて、外観性が損なわれるおそれがある。
【００１０】
本発明は、前述した問題を解決するためになされたもので、キーシート内部に侵入した埃等がキートップシートの透明部から見えることにより外観性を損なうことを防止することのできる携帯電子機器を提供することを目的とする。
【課題を解決するための手段】
【００１１】
本発明の携帯電子機器は、筐体と、前記筐体に収容されるキーシートと、前記筐体と前記キーシートとの間に設けられた弾性部材と、を有し、前記キーシートは、所定位置に透明部が設けられたキートップシートと、前記キートップシートに対して裏側の面に押圧用の突起を有するプッシャーシートと、前記キートップシートと前記プッシャーシートとの間に設けられ、前記キートップシートおよび前記プッシャーシートに対して第１の位置から第２の位置までの範囲で往復移動可能なスライドシートと、前記スライドシートに接続され、前記キートップシートと前記プッシャーシートとの間に設けられた開口から露出する腕部と、を備え、前記スライドシートにおける前記キートップシート側の面には、前記第１の位置において前記透明部から第１の方向に判読可能に表記が設けられた第１の表記部と、前記第２の位置において前記透明部から前記第１の方向とは異なる第２の方向に判読可能に表記が設けられた第２の表記部とが設けられ、前記弾性部材は、前記スライドシートまたは前記腕部の一部を前記スライドシートの厚み方向に押圧する構成を有している。
【００１２】
これにより、筐体と筐体内部に収容されたキーシートとの間に弾性部材を設け、弾性部材によりスライドシートまたは腕部の一部をスライドシートの厚み方向に沿って押圧する。すなわち、弾性部材がスライドシートを押圧する場合には、スライドシートの腕部をキーシートの外部に露出するために設けられた開口から侵入した埃等の移動を規制する。また、弾性部材が腕部を押圧する場合には、開口からの埃等の侵入を防止する。これにより、埃等がスライドシートの第１の表記部や第２の表記部に達し、キートップシートに設けられた透明部を介して外から視認され、外観性を損なうのを防止することができる。
【００１３】
また、本発明の携帯電子機器は、前記弾性部材は、前記スライドシートにおける前記開口側の端部を押圧するとともに、前記スライドシートの往復移動方向に対して直交する方向に設けられている構成を有している。
【００１４】
これにより、スライドシートの往復移動方向に対して直交する方向に弾性部材を設けたので、開口から侵入した埃等の移動を規制することができる。
【００１５】
また、本発明の携帯電子機器は、前記弾性部材は、前記キートップシートを介して前記スライドシートを押圧する構成を有している。
【００１６】
これにより、弾性部材はキートップシートを介してスライドシートを押圧するので、キートップシートに弾性部材用の切欠きを設けない。このため、弾性部材用の切欠きからキーシート内部への埃等の侵入を防止することができる。
【００１７】
また、本発明の携帯電子機器は、前記キートップシートと前記プッシャーシートとの間の離間寸法から前記スライドシートの厚み寸法を引いた隙間寸法に対して、前記弾性部材の無負荷状態における押圧方向寸法のほうが大きい構成を有している。
【００１８】
これにより、弾性部材の無負荷状態における押圧方向寸法すなわち厚み寸法が、キートップシートとプッシャーシートとの間の離間寸法からスライドシートの厚みを引いた隙間寸法よりも大きいので、弾性部材は常にスライドシートを押圧する。このため、埃等の移動を規制することができる。
【００１９】
さらに、本発明の携帯電子機器は、前記弾性部材の無負荷状態における押圧方向寸法は、前記キートップシートと前記プッシャーシートとの間の離間寸法から前記スライドシートの厚み寸法を引いた隙間寸法の２倍を超えない大きさである構成を有している。
【００２０】
また、本発明の携帯電子機器は、前記スライドシートまたは前記腕部において前記弾性部材に押圧される領域に凹凸が形成された構成を有している。
【００２１】
これにより、スライドシートまたは腕部において弾性部材に押圧される領域に凹凸が形成されているので、スライドシートのスライド時にキートップシートあるいはプッシャーシートとの間で発生する接触面同士の抵抗を減らすことができる。このため、スライドシートを低加重で移動させることができる。
【００２２】
そして、本発明の携帯電子機器は、前記スライドシートまたは前記腕部において少なくとも前記弾性部材に押圧される領域は他の領域よりも摩擦係数が小さい材料で形成されている構成を有している。
【００２３】
さらに、本発明の携帯電子機器は、前記スライドシートまたは前記腕部において前記弾性部材に押圧される領域にシリコン系の被覆層が形成されている構成を有している。
【００２４】
また、本発明の携帯電子機器は、前記スライドシートまたは前記腕部において前記弾性部材に押圧される領域にフッ素系の被覆層が形成されている構成を有している。
【００２５】
これらにより、スライドシートにおいて弾性部材に押圧される領域にシリコン系あるいはフッ素系の被覆層が形成されているので、スライドシートのスライド時にキートップシートあるいはプッシャーシートとの間で発生する接触面同士の抵抗を減らすことができる。このため、スライドシートを低加重で移動させることができる。
【発明の効果】
【００２６】
本発明は、弾性部材がスライドシートを押圧する場合には、スライドシートの腕部をキーシートの外部に露出するために設けられた開口から侵入した埃等の移動を規制する。また、弾性部材が腕部を押圧する場合には、開口からの埃等の侵入を防止する。これにより、埃等がスライドシートの第１の表記部や第２の表記部に達し、キートップシートに設けられた透明部を介して外から視認され、外観性を損なうのを防止することができる携帯電子機器を提供できるものである。
【発明を実施するための最良の形態】
【００２７】
以下、本発明の実施形態の携帯電子機器について、図面を用いて説明する。
図１は本発明にかかる第１実施形態の携帯電子機器の縦開き状態を示す斜視図、図２は携帯電子機器の横開き状態を示す斜視図、図３は下筐体およびキーシートの分解斜視図、図４は枠部に収容されたスライドシートの斜視図、図５は図３中ＶＩ−ＶＩ位置の断面図、図６は図５の別の例を示す断面図、図７は縦開き状態における表記を示す正面図、図８は横開き状態における表記を示す正面図である。
【００２８】
図１および図２に示すように、第１実施形態に係る携帯電子機器としての折り畳み式携帯端末１０では、筐体を構成する下筐体２０と上筐体３０とを有しており、下筐体２０と上筐体３０とが、連結部４０により回動可能に連結されている。下筐体２０の上面には、四方向キー２２および文字や数字を入力するテンキー２３を有する操作部２１が設けられており、上筐体３０の下面には表示部３１が設けられている。
従って、下筐体２０と上筐体３０を積層した閉じた状態では、操作部２１と表示部３１とが対面する。
【００２９】
折り畳み式携帯端末１０では、図１に示すように、下筐体２０に対して縦方向に開く縦開き状態と、図２に示すように、下筐体２０に対して横方向に開く横開き状態とが可能となっている。縦開き状態は、上筐体３０を連結部４０の第１回動軸４１回りに回動させて開いた状態であり、例えば通話やメールを行うのに適する。また、横開き状態は、上筐体３０を連結部４０の第２回動軸４２回りに回動させて開いた状態であり、例えばテレビを受信したりゲームをしたりするのに適する。
【００３０】
図３に示すように、下筐体２０の上面２０ａには中央部に開口２０ｂが設けられており、開口２０ｂの連結部４０側の内面には、弾性部材２４が取付けられている。下筐体２０の内部には、操作部２１を構成するキーシート５０が所定の位置に設けられている。キーシート５０は、キートップシート５１と、スライドシート５４と、プッシャーシート５３と、ドームスイッチ５２とを積層状態で有している。
従って、下筐体２０の開口２０ｂからキートップシート５１の操作部２１が露出するので、操作部２１を操作することができる。
【００３１】
キートップシート５１には、四方向キー２２および文字や数字を入力するテンキー２３に対応した位置（所定位置）に窓状の透明部５１ａが設けられており、スライドシート５４の表示が見えるようになっている。なお、下筐体２０の開口２０ｂは、キートップシート５１の透明部５１ａの全てが露出する大きさを有している。
【００３２】
図３および図５に示すように、キートップシート５１においては、透明な本体５１ｂの表面に、操作部２１における窓２２ａ、２３ａに対応する部分以外の部分に、不透明な塗料５１ｃを塗布することにより、透明部５１ａを形成している。これにより、窓２２ａ、２３ａに対応した位置に透明部５１ａを容易に形成できる。
従って、透明部５１ａは、塗料５１ｃの厚さ分だけ凹んで形成されることになる。
【００３３】
プッシャーシート５３は、キートップシート５１とドームスイッチ５２との間に設けられ、裏面に押圧用の突起（図示省略）を有する。
キートップシート５１とプッシャーシート５３とは、同じ外形寸法を有する枠部５６を挟んで袋状に接合されており、枠部５６の高さに相当する内部空間５６ｂを有している。すなわち、枠部５６の上面にはキートップシート５１が接合され、枠部５６の下面にはプッシャーシート５３が接合される。内部空間５６ｂにはスライドシート５４が収容されており、スライドシート５４は、キートップシート５１およびプッシャーシート５３に対して面方向に沿って所定の範囲で往復移動可能となっている。
なお、枠部５６の下面(裏面)の一部には、肉厚を薄くして開口５６ａが設けられており、枠部５６の内部空間５６ｂと外部とが連通されている。
【００３４】
図３〜図５に示すように、スライドシート５４は、薄いが、座屈しない程度の剛性を有するプラスチックシートでできており、一端に凸状のフォロア取付部（腕部）５４ａが形成されている。フォロア取付部５４ａは枠部５６の開口５６ａから外側へ突出しており、このフォロア取付部５４ａには、第１の回動軸４１に設けられているフォロア移動機構４１ａ（図１参照）によって往復移動するフォロア部材５７が取付けられる。
【００３５】
なお、スライドシート５４は、第１回動軸４１が回転した場合のみ移動し、第１回動軸４１が回転しない場合、すなわち、上下筐体２０、３０を閉じた状態および上筐体３０を横開きにした場合には、スライドシート５４は図示省略のバネ部材により付勢されて、原点位置（横開き状態に適した位置）にあって移動しない。
【００３６】
従って、上筐体３０の開き方（第１回動軸４１の回転の仕方）に応じたフォロア部材５７の往復移動に伴い、スライドシート５４は、枠部５６の内部空間５６ｂで、キートップシート５１とプッシャーシート５３との隙間を移動可能に保持されることになる。
すなわち、スライドシート５４は、例えば上筐体３０を第１回動軸４１を中心として縦開きにして電話機として使用する際には、図４中Ａ方向へ移動して縦開き状態に適した第１の位置（図７参照）に位置する。
また、上筐体３０を第２回動軸４２を中心として横開きにしてテレビ受信機として使用する際には、横開き状態に適した第２の位置（図８参照）に位置する。スライドシート５４は、この第１の位置と第２の位置の間（所定の範囲）で往復移動可能となっている。
【００３７】
図４に示すように、スライドシート５４におけるキートップシート５１側の面（ここでは上面）には、第１の位置（縦開き状態）においてキートップシート５１の透明部５１ａから第１の方向（縦開き状態における上下方向）に判読可能に表記が設けられた第１の表記部５８（図７参照）と、第２の位置（横開き状態）において透明部５１ａから第１の方向とは異なる第２の方向（横開き状態における上下方向）に判読可能に表記が設けられた第２の表記部５９（図８参照）とが設けられている。
【００３８】
第１の表示部５８としては、例えば、縦開き状態において電話機として使えるように、規格で定められた電話機用のテンキー２３配列で、第１の方向（図１中矢印Ａ方向）を上下とする向きで表示される。
また、第２の表示部５９としては、例えば、横開き状態においてテレビ放送受信機として使いやすいように、第１列目は左から「１」、「２」、「３」、「４」と並んでいる。第２列目は左から「５」、「６」、「７」、「８」と並んでいる。そして、第３列目は「９」、「10」、「11」、「12」と並んでいる。数字の向きは、第２の方向（図２中矢印Ｂ方向）を上下とする向きで表示される。
第１の表記部５８と第２の表記部５９により、スライドシート５４の表記部が構成される。
【００３９】
図７に示すように、第１の表記部５８と第２の表記部５９とは、キートップシート５１における透明部５１ａの、スライドシート５４のスライド方向の間隔をＰとした場合に、その半分（Ｐ／２）だけずらして配置される。
なお、スライド方向と直交する方向に対しては、同じ位置である。これにより、スライドシート５４をスライド方向へＰ／２だけずらすことにより、第１の表記部５８と第２の表記部５９とを容易に変えることができる。
【００４０】
すなわち、前述したように、第１の表記部５８においては、電話機として使えるように、規格で定められた電話機用のテンキー２３配列で、第１の方向（図１中矢印Ａ方向）を上下とする向きで表示される。また、第２の表記部５９においては、テレビ放送受信機として使いやすいような配列で、第２の方向（図２中矢印Ｂ方向）を上下とする向きで表示される。そして、第１の表記部５８と第２の表記部５９とが、スライドシート５４のスライド量に対応して、スライド方向に隣接して設けられる。
【００４１】
図３および図５に示すように、下筐体２０の内面に設けられている弾性部材２４は、キートップシート５１を介して、スライドシート５４の開口５６ａ側端部を厚み方向へ押圧するものであり、例えばゴムやフェルトで構成されている。弾性部材２４は、スライドシート５４のスライド方向に対して直交する方向であるスライドシート５４の全幅を押圧できる長さを有している。すなわち、弾性部材２４の長さは、スライドシート５４の全幅よりも長く、枠部５６の内部空間５６ｂの幅よりも短い寸法で構成している。
【００４２】
また、弾性部材２４の厚さ（押圧方向寸法）は、無負荷状態において、キートップシート５１とプッシャーシート５３との間の離間寸法（すなわち、枠部５６の内部空間５６ｂの高さ）からスライドシート５４の厚み寸法を引いた隙間寸法よりも大きく構成している。
【００４３】
従って、弾性部材２４は、キートップシート５１を押圧して撓ませ、キートップシート５１を介してスライドシート５４の上面を押圧する。これにより、枠部５６の開口５６ａから埃等が侵入しても、弾性部材２４によりキートップシート５１を押し付けられている領域を超えて、埃等がスライドシート５４の第１の表記部５８および第２の表記部５９に達するのを防止することができる。
なお、弾性部材２４の厚み寸法は、キートップシート５１とプッシャーシート５３との間の離間寸法（すなわち、枠部５６の内部空間５６ｂの高さ）からスライドシート５４の厚み寸法を引いた隙間寸法の２倍を超えない大きさと構成してもよい。この場合、過度に押圧しないので、スライドシート５４のスライド動作を妨げない。
【００４４】
スライドシート５４において弾性部材２４によって押圧される領域には、凹凸５４ｂが形成されており、スライドシート５４とキートップシート５１との密着（貼り付き）、あるいはスライドシート５４とプッシャーシート５３との密着を防止して、スライドシート５４のスライドをスムーズに行うことができるようにしている。
あるいは、図６に示すように、スライドシート５４において弾性部材２４によって押圧される領域を、他の領域あるいは他の面より摩擦係数の小さい材料で形成してもよい。例えば、シリコン系あるいはフッ素系の被覆層５５を設けることもできる。また、被覆層５５の表面に凹凸を設けてもよい。
【００４５】
図３および図５に示すように、スライドシート５４の下側にはプッシャーシート５３が設けられており、さらにプッシャーシート５３の下側にはドームスイッチ５２が設けられている。プッシャーシート５３は全体の厚さが薄く、キートップシート５１を押すことによりスライドシート５４を介してプッシャーシート５３たわませることで、直下のドームスイッチ５２のドーム５２ａ表面をへこませ、ドーム５２ａ内面を下降させて、基板５２ｂに設けられている櫛歯形電極に接触させて、キー入力を実現している。
【００４６】
また、図３に示すように、ドームスイッチ５２におけるドーム５２ａ間の隙間には、バックライトである発光部としてのＬＥＤ５２ｃが設けられている。これにより、スライドシート５４の表記５８、５９が、プッシャーシート５３の裏側に設けられたＬＥＤ５２ｃからの光により照らされて、キートップシート５１の透明部５１ａから見えるので、第１の表記部５８および第２の表記部５９が見やすいとともに、外観品位を向上させることができる。
【００４７】
次に、上筐体３０の開閉に伴うスライドシート５４の動きおよび操作部２１における表示について説明する。
図７に示すように、下筐体２０に対して上筐体３０を第１回動軸４１周りに縦方向に開けると、第１回動軸４１の回転に応じて、第１回動軸４１に設けられているフォロア移動機構４１ａがキーシート５０のスライドシート５４に取付けられているフォロア部材５７を移動させて、スライドシート５４を移動させる。
これにより、第１の表記部５８がキートップシート５１の透明部５１ａを通して見えるので、電話やメールを容易に行うことができる。
なお、この状態では、第２の表記部５９は、キートップシート５１の塗装部分５１ｃに隠れて見えない（破線で表示）。
【００４８】
このとき、下筐体２０の内面に取付けられている弾性部材２４は、キートップシート５１を介してスライドシート５４を押圧しているので、スライドシート５４とキートップシート５１との間には隙間ができず密着する。このため、枠部５６の開口５６ａからスライドシート５４とキートップシート５１との間に侵入した埃等は、弾性部材２４による押圧領域を超えて侵入するのを阻止する。
【００４９】
また、図８に示すように、下筐体２０に対して上筐体３０を第２回動軸４２周りに横方向に開けると、第１回動軸４１は回転しないので、フォロア部材５１も移動せず、スライドシート５４は移動しない。上下筐体２０、３０を閉じた状態および横開き状態においては、スライドシート５４は原点位置にあり、第２の表記部５９がキートップシート５１の透明部５１ａを通して見える位置にある。
このため、横開き状態では、テレビの受信やゲームの操作を容易に行うことができる。
なお、この状態では、第１の表記部５８は、キートップシート５１の塗装部分５１ｃに隠れて見えない（破線で表示）。
【００５０】
この場合においても、弾性部材２４は、キートップシート５１を介してスライドシート５４を押圧しているので、スライドシート５４とキートップシート５１との間には隙間ができず密着する。このため、枠部５６の開口５６ａからスライドシート５４とキートップシート５１との間に侵入した埃等は、弾性部材２４による押圧部を超えて侵入するのを阻止する。
【００５１】
以上、説明した携帯端末１０によれば、下筐体２０内部に収容されたキーシート５０と下筐体２０の内面との間に弾性部材２４を設け、弾性部材２４によりキートップシート５１を介してスライドシート５４をスライドシート５４の厚み方向に沿って押圧する。このため、枠体５６の開口５６ａから侵入した埃等の移動を規制する。これにより、埃等がスライドシート５４の第１の表記部５８や第２の表記部５９に達し、キートップシート５１に設けられた透明部５１ａを介して外から視認され、外観性を損なうのを防止することができる。
【００５２】
また、スライドシート５４の往復移動方向に直交しスライドシート５４の辺長に対応して全幅よりも長く弾性部材５４を設けたので、開口５６から侵入した埃等の移動を確実に規制することができる。
【００５３】
また、弾性部材２４が、キートップシート５１を介してスライドシート５４を押圧するので、キートップシート５１に弾性部材２４用の切欠きを設ける必要がない。このため、弾性部材２４用の切欠きからキーシート５０内部への埃等の侵入を確実に防止することができる。
【００５４】
また、弾性部材２４の無負荷状態における押圧方向寸法が、キートップシート５１とプッシャーシート５３との間の離間寸法からスライドシート５４の厚み寸法を引いた隙間寸法に対して、１００％を超えて２００％以下となっている。このため、埃等の移動を規制することができるとともに、スライドシート５４の往復移動を阻害しない。
【００５５】
また、スライドシート５４において弾性部材２４に押圧される領域に凹凸５４ｂが形成されたので、スライドシート５４のスライド時にキートップシート５１あるいはプッシャーシート５３との間で発生する接触面同士の抵抗を減らすことができる。このため、スライドシート５４を低加重で移動させることができる。
【００５６】
なお、凹凸６１の表面の凸形状の高さとしては、例えば、５〜６０μｍとするのが効果的である。
また、被覆層５５の材質としては、ＵＶ硬化のための材料にメジューム剤を混ぜたものを使用するのが一般的である。
【００５７】
以下、本発明の第２実施形態にかかる携帯電子機器について、図面を用いて説明する。
図９は本発明にかかる第２実施形態の携帯電子機器の下筐体およびキーシートの分解斜視図である。なお、前述した第１実施形態にかかる携帯電子機器と共通する部位には同じ符号を付して、重複する説明を省略することとする。
【００５８】
第２実施形態に係る携帯電子機器としての折り畳み式携帯端末１０Ｂでは、下筐体２０の内面に取り付けられている弾性部材２４Ｂが、スライドシート５４のフォロア取付部（腕部）５４ａを押圧する。すなわち、弾性部材２４Ｂは、枠部５６の開口５６ａを塞ぐようにキートップシート５１を押圧する。
【００５９】
これにより、枠部５６の開口５６ａからの埃等の侵入を防止し、埃等がスライドシート５４の第１の表記部５８や第２の表記部５９に達して、キートップシート５１に設けられた透明部５１ａを介して外から視認され、外観性を損なうのを防止することができる。
【００６０】
また、弾性部材２４Ｂのスライドシート５４に対する押圧領域に対応して、スライドシート５４のフォロア取付部５４ａに凹凸５４ｂを形成する。
これにより、スライドシート５４のスライド時にキートップシート５１あるいはプッシャーシート５３との間で発生する接触面同士の抵抗を減らして、スライドシート５４を低加重で移動させることができる。
あるいは、弾性部材２４Ｂに押圧される領域であるスライドシート５４のフォロア取付部５４ａにシリコン系あるいはフッ素系の被覆層５５（図９において２点鎖線で表示）を設けることにより、スライド時にキートップシート５１あるいはプッシャーシート５３との間で発生する接触面同士の抵抗を減らして、スライドシート５４を低加重で移動させることができる。
【００６１】
なお、本発明のキーシートおよび携帯電子機器は、前述した各実施形態に限定されるものでなく、適宜な変形，改良等が可能である。
例えば、前述した各実施形態においては、凹凸５４ｂをスライドシート５４のキートップシート５１側面に設けた場合について説明したが、スライドシート５４の上下両面に凹凸５４ｂを設けてもよい。また、被覆層５５についても同様である。
また、携帯電子機器は、携帯電話だけでなく、ＰＤＡ、ノートパソコン、ゲーム機等の持ち運び可能な電子機器であってもよい。
【産業上の利用可能性】
【００６２】
本発明は、表記部の向きに合わせて最適な向きで操作できる携帯電子機器への適用に好適である。
【図面の簡単な説明】
【００６３】
【図１】本発明にかかる第１実施形態の携帯電子機器の縦開き状態を示す斜視図
【図２】本発明にかかる第１実施形態の携帯電子機器の横開き状態を示す斜視図
【図３】本発明にかかる第１実施形態のキーシートの分解斜視図
【図４】キーシートの斜視図
【図５】図３中Ｖ−Ｖ位置の断面図
【図６】図５の変形例を示す断面図
【図７】縦開き状態における表記を示す正面図
【図８】横開き状態における表記を示す正面図
【図９】本発明にかかる第２実施形態のキーシートの分解斜視図
【図１０】従来の折り畳み式携帯電話の縦開き状態を示す斜視図
【図１１】従来の折り畳み式携帯電話の横開き状態を示す斜視図
【符号の説明】
【００６４】
１０  折り畳み式携帯端末（携帯電子機器）
２０  下筐体（筐体）
２４  弾性部材
３０  上筐体（筐体）
５０  キーシート
５１  キートップシート
５１ａ  透明部
５３  プッシャーシート
５４  スライドシート
５４ａ  フォロア取付部（腕部）
５４ｂ  凹凸
５５  被覆層
５６ａ  開口
５８  第１の表記部
５９  第２の表記部
【図１】
2010103767.tif 000003
【図２】
2010103767.tif 000004
【図３】
2010103767.tif 000005
【図４】
2010103767.tif 000006
【図５】
2010103767.tif 000007
【図６】
2010103767.tif 000008
【図７】
2010103767.tif 000009
【図８】
2010103767.tif 000010
【図９】
2010103767.tif 000011
【図１０】
2010103767.tif 000012
【図１１】
2010103767.tif 000013